(57)【特許請求の範囲】
【請求項１】
所要深さの鍋本体と、その鍋本体よりも小径で鍋周壁との間に間隙を形成して鍋本体内に収めた浅底のトレーと、鍋本体の開口を覆う蓋体とからなり、鍋本体内をトレー底板により蒸気室と蒸し室とに区画するとともに、両室を上記間隙により連通して、蒸気により加熱が行えるようにした調理具において、
上記鍋本体の内側面中程の複数個所に、上記トレーの受け部を横長に上面を内方へ低い傾斜面に形成して等間隔に突設し、その受け部の先端を、トレーの底部周囲又は下側部周囲を保持してトレーの開口周囲に上記間隙を均一に形成する段部に形成し、上記蓋体によりトレーの開口周囲から蒸気が蒸し室に流入すように構成してなることを特徴とする加熱調理具。
【発明の詳細な説明】
【０００１】
【産業上の利用分野】
この発明は、トレー（内鍋）内の調理材料を蒸気による加熱により調理する加熱調理具に関するものである。
【０００２】
【発明が解決しようとする課題】
鍋本体の内部にトレー（内鍋）を収容し、そのトレーにより鍋本体内を蒸気室と調理室とに区画し、トレーの開口縁に接近して形成した蒸気の流通孔からトレー内に蒸気を入れて調理材料を蒸す加熱調理具が知られている。
【０００３】
この加熱調理具では、トレーに調理材料を入れて鍋本体に収容し、蓋体を被せるだけで蒸し調理ができ、蒸し上がり後にはトレーと一緒に取出しが可能なことから、トレーの交換だけで複数種類の蒸し物ができる利点を有する。
【０００４】
またトレー内への蒸気の取入れをトレーの上部から行っているので、仕切板に穿設した多数の小孔から取入れている通常の蒸し器で生じがちな沸騰による湯の浸透がなく、トレー内は蒸気にのみ満たされるので蒸し物に過剰な水分が含まれず、したがって、水の加減を少々誤っても蒸し上がりのよいものができる、という利点をも有する。
【０００５】
しかしながら、トレー内への蒸気の取入れをトレーの開口縁に接近して形成した流通孔により行っているため、トレーの開口縁の構造が通常のトレーに比べて複雑となり、また鍋本体にもトレーの受縁が必要となる。さらにまた冷却により蓋体から垂れ流れる水滴の鍋本体内への還流にも特別な手段が必要となるなど、全体的な構造においても複雑となって加工に手間を要し、コストアップなるという課題を有する。
【０００６】
この発明は上記従来の課題を解決するために考えられたものであって、その目的は、鍋本体に収容したトレー内への蒸気の流入を鍋本体とトレーとの間隙をそのまま用いることによって、従来よりも簡単な構造で蒸し調理の仕上がりがよい新たな構成の加熱調理具を提供することにある。
【０００７】
【課題を解決するための手段】
上記目的によるこの発明は、所要深さの鍋本体と、その鍋本体よりも小径で鍋周壁との間に間隙を形成して鍋本体内に収めた浅底のトレーと、鍋本体の開口を覆う蓋体とからなり、鍋本体内をトレー底板により蒸気室と蒸し室とに区画するとともに、両室を上記間隙により連通して、蒸気により加熱が行えるようにした調理具において、上記鍋本体の内側面中程の複数個所に、上記トレーの受け部を横長に上面を内方へ低い傾斜面に形成して等間隔に突設し、その受け部の先端を、トレーの底部周囲又は下側部周囲を保持してトレーの開口周囲に上記間隙を均一に形成する段部に形成し、上記蓋体によりトレーの開口周囲から蒸気が蒸し室に流入するように構成してなる、というものである。
【０００８】
【発明の実施の形態】
図中１は深底の鍋本体で、外側の上部両側に取手２を有する。３はトレー（内鍋）で、鍋本体１の１／２程の深さの浅底のもので、鍋周壁との間に間隙４を形成して鍋本体内に収まるように、鍋本体１よりもある程度小径に形成してある。５は鍋本体１の開口を塞ぐ蓋体で、耐熱ガラスにより透明に作られており、その周縁にかしめ止め等の手段により一体的に取り付けた金属の嵌合縁６を、鍋本体１の開口縁の内側に嵌め込んで鍋本体１に被せられる。
【０００９】
上記鍋本体１の内側面中程の４個所には、上記トレー３の受け部７，７が等間隔にて横長に突設してあり、その受け部７，７によりトレー３の底部周囲を受け止めて、該トレー３を鍋本体１の上部内に収容できるようにしてある。
【００１０】
この受け部７，７は鍋本体１の側壁を外側から内側に凸状に打ち出して成形され、その上面７ａは内方へ低い傾斜面に形成され、また先端はトレー３の横ずれを防止するために段部７ｂに形成されて、トレー３の周囲に上記間隙４が均一に生ずるようにしてある。
【００１１】
この受け部７，７によるトレー３の保持によって、鍋本体１の内部はトレー底板３ａにより蒸気室（Ａ）と蒸し室（Ｂ）とに区間され、また両室はトレー３の周囲の上記間隙４により連通して、蒸気室（Ａ）の水の沸騰により生じた蒸気が間隙４からトレー３により形成された蒸し室（Ｂ）に入り込むようになる。
したがって、鍋本体内にて発生した蒸気はトレー底面及び周側面を加熱し、さらにトレー内をも加熱することになるので、トレー全体が鍋本体内にて蒸気熱に包まれた状態となる。
【００１２】
図４に示す実施形態は、トレー３の下側部周囲に段部３ｂを形成し、その段部３ｂを上記受け部７，７に係止して保持した場合で、このような保持では底部周囲を保持する場合に比べて底の深いトレー３を用いることができる。
【００１３】
上記構成のこの発明による加熱調理具では、蒸気室（Ａ）から蒸気が間隙４を経てトレー３の蒸し室（Ｂ）に流入する。この流入はトレー３の開口周囲から一斉に同一蒸気圧により行われるので、トレー内の調理材料は均一に蒸されることになる。また蒸気室（Ａ）の湯が沸き立っても蒸し室（Ｂ）に入り込むことはなく、調理材料は蒸気のみにより加熱されることになる。
【００１４】
また鍋本体１の内周壁面に接して冷却された蒸気は水滴となって蒸気室（Ａ）に滴れ落ち、蓋体５の内面に接して冷却された蒸気は、水滴となって蓋体５の内面を鍋本体１の開口縁へと流下する。開口縁はいずれの個所であっても、その内側が上記間隙４によりトレー４から離れているので、水滴はトレー３側に流れ込むことなく、そのまま鍋本体１の内周壁面を伝わって蒸気室（Ａ）に流れ落ちる。このためトレー３内への水滴の侵入防止され、また蒸気の還流もスムーズに行えるので水の長持ちがよくなり、水を注ぎ足さなくともトレー３の交換のみにより複数種類の調理材料の蒸し調理が行えるようになる。
【００１５】
鍋本体１についての加工は、上記受け部７，７の成形加工のみで済み、トレー３は通常構造のトレーでよく、加工を要する場合でも下側部周囲に段部を形成するだけで済む。したがって、従来よりも安価に製造することが可能となり、トレー３は勿論のこと、鍋本体１もそのまま他の煮炊調理に使用できるので、加熱調理具として頗る具合が良いものである。
【図面の簡単な説明】
【図１】  この発明に係わる加熱調理具の縦断正面図である。
【図２】  同上の蓋体を除いた平面図である。
【図３】  鍋本体の平面図である。
【図４】  他の実施形態の蓋を除いた縦断正面図である。
【図５】  分解斜視図である。
【符号の説明】
１      鍋本体
２      取手
３      トレー
３ａ    トレー底面
３ｂ    段部
４      間隙
５      蓋体
６      嵌合縁
７      受け部
７ａ    上面
７ｂ    段部
（Ａ）  蒸気室
（Ｂ）  蒸し室
【図１】
0003848770.tif 000002
【図２】
0003848770.tif 000003
【図３】
0003848770.tif 000004
【図４】
0003848770.tif 000005
【図５】
0003848770.tif 000006